(57)【特許請求の範囲】
【請求項１】
既設の壁の内部に配線を施す配線工事方法において、
壁内上部の開口部から、下端に球形の錘を連結したワイヤ又はロープの略全体にスプリング状パイプを被せ、当該スプリング状パイプの上下端を前記ワイヤ又はロープの上下端に固定し、当該ワイヤ又はロープの上端を持って錘を垂らすと、前記スプリング状パイプが一定長伸びる構成のフレキシブルな通線部材を、前記壁内に下して行き、壁の一側面下部に設けたコンセント等の取付け用穴の脇に前記錘が達した際、
当該コンセント等の取付け用穴を通して前記錘を壁の外に引き出し、前記通線部材の下端又は上端にケーブルの一端を接続して、当該ケーブルを壁内に布設することを特徴とする、壁内配線工事方法。
【請求項２】
前記錘の外径は前記スプリング状パイプの外径以上の大きさを有することを特徴とする、請求項１に記載の壁内配線工事方法。
【請求項３】
前記コンセント等の取付け用穴を通して前記錘を壁の外に引き出す際、コンセント等の取付け用穴から壁内部に係止具を挿入し、当該係止具の先端で錘を係止して引き出すことを特徴とする、請求項１又は２に記載の壁内配線工事方法。
【請求項４】
壁内の上端が塞がっており、前記壁の上部横方向に開口部を設け、当該開口部から一定距離離れた箇所から前記錘等の前記通線部材を前記開口部に挿入しなければならない場合、
前記開口部までガイド管を設け、当該ガイド管内に前記錘等の通線部材を通して壁内に前記スプリング状パイプで少なくとも下部が被われたワイヤ又はロープ及び錘を下すことを特徴とする、請求項１〜３のいずれかに記載の壁内配線工事方法。
【請求項５】
下端に球状の錘が連結されたワイヤ又はロープの略全体が一定長のスプリング状パイプで被われ、上端はケーブルを接続自在であって、前記スプリング状パイプの上下端を前記ワイヤ又はロープの上下端に固定し、当該ワイヤ又はロープの上端を持って錘を垂らすと、前記スプリング状パイプが一定長伸びる構成であるフレキシブルな通線部材としたことを特徴とする、請求項１〜４に記載の方法に使用する壁内配線工事治具。
【請求項６】
壁の下部のコンセント等の取付け用穴に通して前記錘を係止する係止具を有することを特徴とする、請求項５に記載の壁内配線工事治具。
【発明の詳細な説明】
【技術分野】
【０００１】
この発明は、家屋やビル等の建築物の壁内に新たに配線を布設する壁内配線工事方法及び当該工事に使用する治具に関するものである。
【背景技術】
【０００２】
従来、家屋やビル等の建築物内で、電気機器、スイッチ、ＬＡＮ、テレビ、電話等の配線器具を増設する際、新たに壁にコンセントやモジュラーを取付けて、当該コンセント等から電源や通信データを取ることがあるが、その場合、壁内に新たに配線を布設しなければならない。
【０００３】
この壁内の空間は、壁幅自体が薄いため、狭いものとなっており、その上、内部に間仕切りがあったり、梁等の他の構造物が介在していることが多い。また、当該壁内に電源、通信を増架するための配管があるか不明な場合が多い。
【０００４】
この様な壁内に配線を布設する場合、従来は、配線の本設前に壁内にパイロット線を布設（通線作業）し、そのパイロット線にケーブルを接続して当該ケーブルを壁内に布設する。
【０００５】
この通線作業の手順としては、以下の二通りがあり、一つは、部屋の壁の下部にあるコンセント位置（下方）から壁の内部で天井（上方）に向けてパイロット線を押し上げる方法で、パイロット線としては主に、ある程度剛性を有する通線ワイヤを使用する。また、他の一つは、天井（上方）からコンセント位置（下方）に向けて壁内でパイロット線を下す方法で、パイロット線は主に、チェーン（多関節部材）や通線ワイヤを使用する。
【０００６】
前者では、通線ワイヤを壁の下方に設けたコンセント等の取付け用穴から壁内を天井に向けて延伸する。天井に通線ワイヤが到達後、通線ワイヤの先端にケーブル先端を接続し、ケーブルを接続した通線ワイヤをコンセント側で引き戻し、ケーブルを壁内に布設するものである。
【０００７】
また、後者は天井からコンセント等の取付け用穴の位置に向け、壁内にチェーンを下ろす。コンセント位置にチェーンが到着後、チェーン後部にケーブルを接続し、チェーンをコンセント側で引き寄せながらケーブルを壁内に布設するものである。
【０００８】
これらの従来例では、通線ワイヤを使用する場合、材質が鋼線で細径のため、障害物に接しても僅かな隙間に入り込み、ケーブルを布設する際にケーブル布設空間が確保できない場合がある。また、通線ワイヤがリールに巻かれて収納されているため、延伸する際、ワイヤの撚りで思うように真っすぐに通線することが出来ない。また、チェーン等の多関節部材を使用する場合、自重で下がるが、障害物に当たると関節部分で折れ曲り、その後方向制御が不能となり、適切なルートが確保できない恐れがある。
【０００９】
そこで、特許文献１に示すように、ユニット住宅の壁パネルの壁ボードの上端部と天井ボードとで形成されたコーナー部分を覆って周設した回り縁に、回り縁本体に対して着脱可能な着脱部を設け、この着脱部で覆われた位置にボード裏側に至る通線孔を形成し、壁ボードの裏側に、通線孔から壁パネルの下部まで至る配線用通路を設け、この配線用通路に、一端を通線孔から壁ボードの表側に露出させて呼び線を配設したユニット住宅が開発されている。そして、当該壁ボード内にケーブルを布設する際、この呼び線をパイロット線としてケーブルを容易に布設することが出来るようにしたものである。
【００１０】
【特許文献１】特開平７−２６６４１号公報
【発明の開示】
【発明が解決しようとする課題】
【００１１】
しかしながら、前記特許文献１のものは、ユニット住宅の壁パネル内に予め配線用通路を設け、当該配線用通路に呼び線を配設しておくもので、建築後であっても、配線を増設する際、容易にケーブルを布設できるものであるが、壁パネルという限られた構造にしか使用できず、汎用性がない。また、建築の際に予め壁パネル内に複数の配線用通路を設けておかなければならず、コスト高の物となってしまう。
【００１２】
そこで、この発明は、これらの従来技術に鑑み、従来の一般的な住宅やビル等の建築物であって、既設の壁内部に予めケーブル用の配管がなされていない箇所において、熟練を要せず、誰でも容易に壁内にパイロット線を通して配線できる配線工事方法及び治具を提供することを目的としたものである。
【課題を解決するための手段】
【００１３】
請求項１の発明は、既設の壁の内部に配線を施す配線工事方法において、
壁内上部の開口部から、下端に球形の錘を連結したワイヤ又はロープの略全体にスプリング状パイプを被せ、当該スプリング状パイプの上下端を前記ワイヤ又はロープの上下端に固定し、当該ワイヤ又はロープの上端を持って錘を垂らすと、前記スプリング状パイプが一定長伸びる構成のフレキシブルな通線部材を、前記壁内に下して行き、壁の一側面下部に設けたコンセント等の取付け用穴の脇に前記錘が達した際、当該コンセント等の取付け用穴を通して前記錘を壁の外に引き出し、前記通線部材の下端又は上端にケーブルの一端を接続して、当該ケーブルを壁内に布設する、壁内配線工事方法とした。
【００１４】
また、請求項２の発明は、請求項１の発明において、前記錘の外径は前記スプリング状パイプの外径以上の大きさを有する、壁内配線工事方法とした。
【００１５】
また、請求項３の発明は、請求項１又は２の発明において、前記コンセント等の取付け用穴を通して前記錘を壁の外に引き出す際、コンセント等の取付け用穴から壁内部に係止具を挿入し、当該係止具の先端で、錘を係止して引き出す、壁内配線工事方法とした。
【００１６】
また、請求項４の発明は、請求項１〜３のいずれかの発明において、壁内の上端が塞がっており、前記壁の上部横方向に開口部を設け、当該開口部から一定距離離れた箇所から前記錘等の前記通線部材を前記開口部に挿入しなければならない場合、前記開口部までガイド管を設け、当該ガイド管内に前記錘等の通線部材を通して壁内に前記スプリング状パイプにより少なくとも下部が被われたワイヤ又はロープ及び錘を下す、壁内配線工事方法とした。
【００１７】
また、請求項５の発明は、下端に球状の錘が連結されたワイヤ又はロープの略全体が一定長のスプリング状パイプで被われ、上端はケーブルを接続自在であって、前記スプリング状パイプの上下端を前記ワイヤ又はロープの上下端に固定し、当該ワイヤ又はロープの上端を持って錘を垂らすと、前記スプリング状パイプが一定長伸びる構成であるフレキシブルな通線部材とした、請求項１〜４に記載の方法に使用する壁内配線工事治具とした。
【００１８】
また、請求項６の発明は、請求項５の発明において、壁の下部のコンセント等の取付け用穴に通して前記錘を係止する係止具を有する、壁内配線工事治具とした。
【発明の効果】
【００１９】
請求項１及び５の発明では、通線部材は、下端に錘を接続したワイヤ又はロープの略全体がスプリング状パイプで被われており、当該スプリング状パイプの上下端をワイヤ又はロープの上下端に固定し、当該ワイヤ又はロープの上下端を持って錘を垂らすと、前記スプリング状パイプが一定長伸びる構成としているため、壁の内部に前記通線部材の錘及びスプリング状パイプを挿入すると、錘の自重で、ワイヤ又はロープ、及びスプリング状パイプのスプリングが伸びた状態で垂れ下がる。そこで、作業者が壁の上方また、上部横方で、通線部材の上端部を動かして操作すると、当該動作がワイヤ又はロープからスプリング状パイプ及び錘まで伝わり、球状の錘を上下、左右に動かすことができる。
【００２０】
従って、壁内に梁等の障害物が突出している場合であっても、これらの障害物箇所で、作業者が前記通線部材の上部を上下左右に動かすと、球状の錘が障害物上で容易に動き、当該錘の重さと相俟って、障害物の端部から下方に落ちる。そして、この錘につづくワイヤ又はロープ及びスプリング状パイプ自体もフレキシブルで、上方からの動作が伝達されるので、ワイヤ又はロープはスプリング状パイプにガイドされて当該障害物を回避して下がっていき、前記錘をコンセント取付け用穴の脇まで容易かつ確実に降ろすことができる。また、その際、スプリング状パイプはその上下端でワイヤ又はロープに固定しているため、スプリング状パイプの伸びは規制され、むやみに伸びたりしない。
【００２１】
そして、当該通線部材の上部又は下部にケーブルの一端を接続して、通線部材を引き下ろすか、引き上げてケーブルを壁内に配線することができる。その際、通線部材は上下端までワイヤ又はロープが通っているため、当該ワイヤ又はロープでケーブルを容易に引っ張ることが出来る。
【００２２】
また、請求項２の発明によれば、錘の外径がスプリング状パイプの外径以上の大きさであるため、錘が通った隙間であれば、これに続くスプリング状パイプも当該隙間を通ることができ、より確実に通線部材を壁内に通すことができる。
【００２３】
また、請求項３の発明によれば、壁の下部に設けたコンセント等の取付け用穴を通して、作業者が係止具を差し込んで、壁内に垂れ下がった錘を容易に取り出すことができる。
【００２４】
また、請求項４の発明では、壁の上端が塞がっており、前記壁の横方向に開口部を設け、当該開口部から一定距離離れた箇所からしか前記錘等の前記通線部材を前記開口部に挿入することができない場合であっても、ガイド管を用いれば、前記錘やスプリング状パイプで被われたワイヤ又はロープから成る通線部材を容易に壁内に垂らすことができ、この発明の方法及び治具を用いることができる。
【００２５】
また、請求項６の発明によれば、通線部材と当該通線部材の錘を係止する係止部を有するため、これらを壁内配線工事の工事治具としてセットで販売したり、配線工事現場に持っていけば、配線工事が容易且つ確実に行える。
【図面の簡単な説明】
【００２６】
【図１】この発明の実施例１の通線部材の一部省略正面図であり、（ａ）図は錘を支持台に載せてスプリング状パイプに荷重がかからない状態を示し、（ｂ）図は錘を垂らしてスプリング状パイプが伸びた状態を示す。
【図２】この発明の実施例１の壁内の通線作業途中の第１状態を示す概略正面断面図である。
【図３】この発明の実施例１の壁内の通線作業途中の第２状態を示す概略正面断面図である。
【図４】この発明の実施例１の壁内の通線作業において、障害物を回避する操作手順を示す概略図である。
【図５】この発明の実施例1の壁内の通線作業において、コンセント等の取付け用穴から錘を取り出す手順を示す概略図である。
【図６】この発明の実施例２の壁内の通線作業を示す概略正面図である。
【図７】この発明の実施例２の要部を示す拡大断面図である。
【図８】この発明の実施例２に用いる壁開け用の治具の側面図である。
【発明を実施するための形態】
【００２７】
この発明は、壁の上部から、下端に球形の錘を連結し、前記錘の上のワイヤ又はロープの少なくとも下部にスプリング状パイプを被せた一定長のフレキシブルな通線部材を、前記壁内に下して行き、壁の一側面下部に設けたコンセント等の取付け用穴の脇に前記錘が達した際、当該コンセント取付け用穴を通して前記錘を壁の外に引き出し、前記通線部材の下端又は上端にケーブルの一端を接続して、当該ケーブルを壁内に布設する、壁内配線工事方法である。
【００２８】
これにより、壁内の配線工事において、壁内に障害物があっても、容易かつ確実にこれを回避し、通線することができる。
【実施例１】
【００２９】
以下、この発明の実施例１を図に基づいて説明する。図１に示すように、この発明の通線部材Ａは、ワイヤ１の外周にスプリング状パイプ２が被され、当該スプリング状パイプ２の下部は徐々に外形を小さくしたテーパー形状となって前記ワイヤ１の下部に固定されている。また、前記ワイヤ１の下端には球状の錘３が、ワイヤ又はロープ３ａを介して吊り下げられている。また、スプリング状パイプ２の上端は前記ワイヤ１の上部に固定され、前記ワイヤ１の上端には、ケーブル等を接続自在な係止部１ａが設けられている。また、この通線部材Ａは、オフィスビルで使用する場合は、２．５〜５ｍのものを使用する。
【００３０】
そして、（ａ）図に示すように、錘３を支持台に置いてワイヤ１及びスプリング状パイプ２に荷重がかからない状態から、錘３を支持台から外すと、（ｂ）図に示すように、錘３は自重で落下し、ワイヤ１及びスプリング状パイプ２が伸びて吊り下げられて支持される。その際、スプリング状パイプ２の上下端はワイヤ１に固定されているため、ワイヤ１の長さしか伸びないようになっている。
【００３１】
この通線部材Ａを用いて、図２に示すように、壁４の内部に通線するには、まず、壁４の下部の一側面にコンセント等の取付け用穴８を開ける。そして、作業者は天井５に開口する壁４の開口部４aから前記錘３及びこれに続くスプリング状パイプ２で被われたワイヤ１の下部を壁４内の間隙６に挿入する。これにより錘３の自重で落下するが、スプリング状パイプ２が適宜に伸びた状態でワイヤ１に支持される。この状態で作業者は通線部材Ａを間隙６内に下していく。
【００３２】
そして、この途中において天井５から作業者が通線部材Ａの上部のワイヤ１を上下、左右に動かすと、当該動作がスプリング状パイプ２の下部及び錘３まで伝わり、球状の錘３は上下、左右に動く。従って、壁４内の間隙６に多少の突出物７が合っても、これを交わして錘３を、壁４の下部の一側に設けたコンセント等の取付け用穴８の脇まで下ろすことができる。
【００３３】
その後、図３に示すように、前記コンセント等の取付け用穴８を通して、作業者がスプーン形状の係止具９を穴内に挿入し、錘３を柱４の外部に取り出すことができる。その際、前記錘３は蛍光塗料が塗られていると、暗い間隙６内で光り、係止具９で取り易い。また、係止具９の先端面に鏡を設ければ、錘３が上方から降りてくる際に、それを確認し易い。
【００３４】
そして、当該通線部材Ａのワイヤ１の上端の係止部１ａにケーブル（図示省略）の一端を接続して、コンセント等の取付け用穴８からワイヤ１及びスプリング状パイプ２から成る通線部材Ａを引き出せば、前記ケーブルは柱４の間隙６を通って柱４の上端の開口部４ａからコンセント等の取付け用穴８の外側まで通線される。
【００３５】
図４は、柱４内の間隙６に、梁１０が突出している場合の、操作手順を示すもので、手順１に示すように、錘３及びスプリング状パイプ２が間隙６を下りてくると、手順２に示すように、錘３が梁１０の上面に当たる。そこで、作業者は通線部材Ａの上部を持って、上下、左右に通線部材Ａを振る。
【００３６】
これに伴って通線部材Ａの下部のスプリング状パイプ２及び錘３が動き、当該錘３は球状であるため、梁１０上を動きやすく、手順３に示すように、梁１０の端部まで転がって、当該端部から自重で下方に落ちる。その後、錘３に引っ張られて、手順４に示すように、スプリング状パイプ２の下端が梁１０の上面に当たるが、スプリングのためリバウンドし、手順５に示すように、錘３の落下方向にスプリング状パイプ２は方向を変えて前記梁１０から離れ、手順６に示すように、梁１０の横を通過するようになる。
【００３７】
また、図５は、前記コンセント等の取付け用穴８から、壁４の内部の間隙６に前記係止具９とは異なる構成の係止具１１を用いて、錘３を取り出す手順を示す。
【００３８】
この場合、係止具１１は、針金で先端にループを形成した輪投形状のもので、手順７に示すように、予め、コンセント等の取付け用穴８から柱４内に挿入しておき、手順８に示すように、錘３を係止具１１のループ内部に通し、その後、手順９に示すように、係止具１１のループを引張りってループを狭め、これにより、係止具１１の狭まったループで錘３を係止し、錘３をコンセント等の取付け用穴８から取り出す。
【実施例２】
【００３９】
図６〜図８は、この発明の実施例２を示す。この実施例２は、壁４の上端が塞がっており、天井５の上方には、建物の梁１２が迫っており、この天井５と梁１２の間が幅の狭い空隙１３を有する場合の前記壁内の配線工事である。この場合は、作業者は前記壁４の上部に近づくことはできない。そこで、作業者は梁１２の端部から、幅の狭い空隙１３の奥部に位置する壁４の側面に小穴をあける。
【００４０】
それには、図８に示す、ロングビット１４の先端に小径のホルソー１５を有する治具１６を用い、前記幅の狭い空隙１３の開口端部から、間隙１３に前記治具１６を挿入し、先端のホルソー１５を壁４の側面に当て、手元の電気ドリル（図示省略）を用いて前記ロングビット１４を回転させ、壁４に開口部４ｂを開ける。
【００４１】
そして、図７に示すように、前記通線部材Ａが通るガイド管１７を前記幅の狭い間隙１３の開口端部から壁４の前記開口部４ｂに通し、当該ガイド管１７内に通線部材Ａの錘３及びこれに続くスプリング状パイプ２を挿入し、開口部４ｂの内側で柱４内の間隙６に前記錘３及びスプリング状パイプ２で被われたワイヤ１を垂らす。その後は、作業者は前記ガイド管１７の開口部箇所において、実施例１と同様な操作をすれば、図６に示すように、錘３はコンセント等の取付け用穴８に達する。
【００４２】
なお、上記実施例では、スプリング状パイプ２の下端はテーパー状にすぼまっているが、この様に下端を先細にせず、上から下まで同一の外径にしても良く、また、外径が異なるようにしても良い。さらに、上記実施例では通線部材Ａはワイヤを支持部材としているが、ワイヤに代えてロープでも良い。
【符号の説明】
【００４３】
Ａ      通線部材
１      ワイヤ                      １ａ    係止部
２      スプリング状パイプ          ３      錘
３ａ    ワイヤ又はロープ            ４      壁  
４ａ    開口部                      ４ｂ    側面開口部
５      天井                        ６      間隙
７      突出物                      ８      コンセント等の取付け用穴
９      係止具                      １０    梁
１１    係止具                      １２    梁
１３    空隙                        １４    ロングビット
１５    ホルソー                    １６    治具
１７    ガイド管
【図１】
0005938250.tif 000002
【図２】
0005938250.tif 000003
【図３】
0005938250.tif 000004
【図４】
0005938250.tif 000005
【図５】
0005938250.tif 000006
【図６】
0005938250.tif 000007
【図７】
0005938250.tif 000008
【図８】
0005938250.tif 000009